(57)【特許請求の範囲】
【請求項１】
前方に開放された外本体と、外本体の内部に収納される物品収納用の内本体とを備えた収納装置において、
内本体を外本体内部と外本体の略直前の間を前後に移動させる前後移動手段と、
内本体を外本体の略直前において上下に移動させる上下移動手段と
が配設され、
前後移動手段は、内本体に加わる力の向きが前後方向のときに作動し、上下移動手段は、内本体に加わる力の向きが上下方向のときに作動し、前後移動手段、上下移動手段はともに、内本体に加わる力の向きが所定方向でないときは作動せず、
上下移動手段は、内本体を支持する内本体支持部材と、内本体支持部材の上下方向に延びるガイド溝と、ガイド溝に係合し、ガイド溝に沿って上下に移動するガイド部材とを有している
ことを特徴とする収納装置。
【請求項２】
前後移動手段は、前後方向に回動し、前後に並置された２本の支持アームから形成された平行リンクを有し、平行リンクの２本の支持アームに内本体支持部材が支持され、内本体支持部材に支持された内本体が前後方向に移動するとき、内本体は、外本体内部において収納位置より高い所に上がることに上がることを特徴とする請求項１に記載の収納装置。
【請求項３】
平行リンクは内本体に対し左右一対として設けられ、平行リンクの２本の支持アームはともに、内本体の外側でかつ外本体の内側に配置され、前側に位置する前側支持アームは、上部において折れ曲がり、上部折曲部を有し、上部折曲部は、内本体の収納位置において内本体の後方に位置することを特徴とする請求項２に記載の収納装置。
【発明の詳細な説明】
【技術分野】
【０００１】
本発明は、物品収納用の内本体が外本体に昇降自在に設けられた収納装置に関する。
【背景技術】
【０００２】
天袋のような高所や人の顔前の斜め上方の位置に設置される収納装置として、前方に開放された外本体の内部に収納した物品収納用の内本体を、リンク機構を介して回動させることによって、外本体内部から外本体の前下方に引き下ろせるようにした昇降式の収納装置が知られている。
【０００３】
特許文献１に記載された高所収納・取出し装置は、そのような収納装置として、収納した物品を少ない労力で簡単に出し入れすることを目的として開発されたものである。
【０００４】
上記高所収納・取出し装置は、上方と前方が開放された箱形フレームと、収納した物品を載置するバスケットとを有し、箱形フレームは、左右両側壁部において、上辺に水平ガイド部を、前辺に垂直ガイド部を、水平ガイド機能と垂直ガイド機能が連続した一体のガイド部材として配置して形成され、バスケットがガイド部材に沿って移動可能に取り付けられ、手動によりバスケットを垂直移動させるときの負荷を軽減するバネなどの補助装置が配設されたものであり、補助装置によって箱形フレームに対してバスケットを垂直移動させるときの操作力を軽減することができる。
【特許文献１】特開２００７−１６７０８６号公報
【発明の開示】
【発明が解決しようとする課題】
【０００５】
しかしながら、特許文献１に記載された高所収納・取出し装置では、バスケットを垂直移動させるときの操作力が軽減される一方で、ガイド部材としての箱形フレームにおいて水平ガイド部と垂直ガイド部が、水平ガイド機能と垂直ガイド機能が連続した一体のものとして実現されるようにしているため、バスケットを箱形フレームから前方に引き出す際にバスケットの水平移動と垂直移動が連続し、移動方向が変わるときにバスケットに収納した物品が前方に飛び出すことがあり、落下して操作する人に当たったり、床まで落下し、破損や怪我などの危険性が指摘される。
【０００６】
本発明は、以上の通りの事情に鑑みてなされたものであり、物品収納用の内本体を外本体に対して前後および上下方向に移動自在とした昇降式の収納装置において、内本体を外本体内部の収納位置から引き出す際に、収納した物品が不用意に飛び出すことのない安全性に優れた収納装置を提供することを課題としている。
【課題を解決するための手段】
【０００７】
本発明は、上記の課題を解決するために、以下の特徴を有している。
【０００８】
第１の発明は、前方に開放された外本体と、外本体の内部に収納される物品収納用の内本体とを備えた収納装置において、内本体を外本体内部と外本体の略直前の間を前後に移動させる前後移動手段と、内本体を外本体の略直前において上下に移動させる上下移動手段とが配設され、前後移動手段は、内本体に加わる力の向きが前後方向のときに作動し、上下移動手段は、内本体に加わる力の向きが上下方向のときに作動し、前後移動手段、上下移動手段はともに、内本体に加わる力の向きが所定方向でないときは作動せず、上下移動手段は、内本体を支持する内本体支持部材と、内本体支持部材の上下方向に延びるガイド溝と、ガイド溝に係合し、ガイド溝に沿って上下に移動するガイド部材とを有していることを特徴としている。
【０００９】
第２の発明は、上記第１の発明の特徴において、前後移動手段は、前後方向に回動し、前後に並置された２本の支持アームから形成された平行リンクを有し、平行リンクの２本の支持アームに内本体支持部材が支持され、内本体支持部材に支持された内本体が前後方向に移動するとき、内本体は、外本体内部において収納位置より高い所に上がることに上がることを特徴としている。
【００１０】
第３の発明は、上記第２の発明の特徴において、平行リンクは内本体に対し左右一対として設けられ、平行リンクの２本の支持アームはともに、内本体の外側でかつ外本体の内側に配置され、前側に位置する前側支持アームは、上部において折れ曲がり、上部折曲部を有し、上部折曲部は、内本体の収納位置において内本体の後方に位置することを特徴としている。
【発明の効果】
【００１２】
上記第１の発明によれば、内本体を外本体内部と外本体の略直前の間を前後に移動させる前後移動手段は、内本体に加わる力の向きが前後方向のときに作動し、内本体を外本体の略直前において上下に移動させる上下移動手段は、内本体に加わる力の向きが上下方向のときに作動し、前後移動手段、上下移動手段はともに、内本体に加わる力の向きが所定方向でないときは作動しないので、内本体を引き出す際に、内本体が前方移動に連続して下方移動することはなく、外本体の略直前まで前方移動した後、下向きの力が加わらない限り内本体は下方に移動しない。したがって、物品は、収納状態を安定に保ち、内本体の外側に不用意に飛び出すことはなく、収納装置の安全性は高い。
【００１３】
また、上記第１の発明によれば、内本体を支持する内本体支持部材の上下方向に延びるガイド溝が形成され、ガイド部材が、ガイド溝に係合し、ガイド溝に沿って上下に移動するため、内本体は安定して上下に移動することができる。
【００１４】
上記第２の発明によれば、上記第１の発明の効果に加え、平行リンクを形成する、前後方向に回動し、前後に並置された２本の支持アームによって内本体支持部材が支持され、内本体支持部材に支持された内本体が前後方向に移動するとき、内本体は、外本体内部において収納位置より高いところに上がるので、地震などによって内本体が前方に移動して不用意に飛び出すのを抑えることができ、収納装置の安全性が一層高まる。また、内本体は、最高位に達した後は外本体の略直前の引き出し位置まで降下するので、降下は自重により可能であり、内本体を前方移動させる力は最高位までとすることができ、内本体に加える力の軽減が可能である。外本体の前方に空間のゆとりが取れない狭いところでも内本体の引き出しが容易になる。
【００１５】
上記第３の発明によれば、上記第２の発明の効果に加え、平行リンクが内本体に対し左右一対として設けられ、平行リンクの２本の支持アームはともに、内本体の外側でかつ外本体の内側に配置されているので、内本体は一対の平行リンクの内側を前後に移動し、また、平行リンクにおいて前側に位置する前側支持アームが、上部において折れ曲がった上部折曲部を有し、上部折曲部は、内本体の収納位置において内本体の後方に位置するので、内本体が前後方向に移動する際の回動半径を小さくすることができる。したがって、収納装置のコンパクト化を図ることができる。
【発明を実施するための最良の形態】
【００１６】
図１、図２は、それぞれ、本発明の収納装置の一実施形態を示した斜視図、正面図である。
【００１７】
収納装置１は、前方に開放された略直方体状の箱型の外本体２と、外本体２より大きさが小さく、外本体２の内部に収納可能な内本体３とを備えている。内本体３も、外本体２と同様に、前方に開放された略直方体状の箱型の部材であり、内部に物品の収納空間４を形成している。収納装置１では、内本体３は、外本体２の内部と外本体２の略直前の間を前後に移動可能とされるとともに、外本体２の略直前において上下に移動可能とされている。したがって、収納装置１では、内本体３を外本体２の略直前に引き出し、下方に引き下ろして収納空間４に物品を収納し、また、収納した物品を収納空間４から取り出すことができ、物品の収納および取り出し後には、内本体３を上方に押し上げた後、後方に押し込むことによって内本体３を外本体２の内部の収納位置に収納することができる。このように、収納装置１では、内本体３の引き出し位置は外本体２の略直前であり、引き出し位置において内本体３は上下に移動することができるので、内本体３の引き出し位置における外本体２からの出代が十分小さくなっている。
【００１８】
また、収納装置１では、内本体３の前端下面に棒状の取っ手５が配設され、内本体３の前後方向の移動および上下方向の移動は手動により行なわれるようにしている。取っ手５を介して操作者の操作力が内本体３に加わり、内本体３は、加わる力の向きに移動する。
【００１９】
そのような内本体３の前後方向の移動、上下方向の移動を可能にする前後移動手段６、上下移動手段７が、収納装置１に配設されている。
【００２０】
前後移動手段６は平行リンク８を有している。平行リンク８は、前後方向に回動する２本の支持アーム９、１０から形成されている。支持アーム９、１０は、前後に並置され、前側を前側支持アーム９、後側を後側支持アーム１０としている。このような平行リンク８は、内本体３に対して左右一対として設けられ、各平行リンク８では、前側支持アーム９、後側支持アーム１０はともに、内本体３の外側で外本体２の内側に配置されている。そして、各平行リンク８において、前側支持アーム９、後側支持アーム１０はともに、下端部において外本体２の内底部の側端に軸支され、前後方向の回動が自在にされている。
【００２１】
前側支持アーム９は、上下両端部において前方に折れ曲がり、上部折曲部１１および下部折曲部１２を有している。後側支持アーム１０は直線状に延び、上下方向の中央部において、外本体２の内底部の側端に同じく軸支され、前後方向の回動が自在とされたダンパ１３に接続している。ダンパ１３は上下方向に伸縮自在であり、伸縮する際に制動力を後側支持アーム１０に加える。
【００２２】
上下移動手段７は、内本体３を支持する内本体支持部材１４と、内本体支持部材１４の上下方向に延びるガイド溝１５とを有している。また、上下移動手段７は、図３に内本体３の背面側を示したように、ガイド部材１６を有してもいる。
【００２３】
内本体支持部材１４は、中空で軽量なフレーム体１７を備え、フレーム体１７の前面部には略矩形板状の支持体１８が配設されている。支持体１８の左右両側面部にガイド溝１５が形成され、ガイド溝１５は、内本体支持部材１４と一体となっており、支持体１８の左右両側面部はレール状になっている。ガイド部材１６は、内本体３の背面側の左右両側端部に配設され、ガイド溝１５に挿入されて係合し、ガイド溝１５に沿って上下に移動可能にされている。ガイド部材１６がガイド溝１５に沿って上下に移動することにより、内本体３は、内本体支持部材１４に支持されたまま、上下方向に移動する。このようなガイド部材１６のガイド溝１５に沿った上下移動にともなわれて、内本体３は安定して上下に移動することができる。
【００２４】
また、内本体支持部材１４には、フレーム体１７の上部の左右両側に、前後方向に延びる連結フレーム１９が配設されている。前後移動手段６として設けた平行リンク８の前側支持アーム９および後側支持アーム１０が、連結フレーム１９に回動自在に接続されている。前側支持アーム９は、上部折曲部１１から延びる先端部２０において連結フレーム１９に回動自在に接続され、後側支持アーム１０は、上端部２１において連結フレーム１９に回動自在に接続されている。その結果、内本体支持部材１４は、各平行リンク８の前側支持アーム９および後側支持アーム１０に支持されている。
【００２５】
なお、連結フレーム１９も、平行リンク８の前側支持アーム９および後側支持アーム１０と同様に、内本体３の外側でかつ外本体２の内側に配置されている。したがって、連結フレーム１９は、内本体３の上下方向の移動を邪魔することはない。
【００２６】
収納装置１は、上記の通りの前後移動手段６および上下移動手段７を備えているので、図４の概略断面図に示したように、内本体３が、外本体２の内部の収納位置と外本体２の略直前の引き出し位置の間を前後に移動することができるとともに、引き出し位置において上下に移動することができる。
【００２７】
図１および図２に示したように、内本体３を支持した状態において内本体支持部材１４は、前後移動手段６として設けた一対の平行リンク８によって、内本体３の外本体２の内部における収納位置と外本体２の略直前の引き出し位置の間を前後に回動することができる。操作者が取っ手５を握って前方に引くと、図４に示したように、内本体３に加わる前方の力によって平行リンク８が作動し、内本体支持部材１４が前方に回動して内本体３を前方に引き出すことができる。逆に、取っ手５を握って後方に押すと、内本体３に加わる後方の力によって平行リンク８が作動し、内本体支持部材１４が後方に回動して内本体３を後方に押し入れ、外本体２の内部の収納位置に収めることができる。
【００２８】
また、内本体３を外本体２の直前の引き出し位置に引き出した後、操作者が取っ手５を握って下方に引くと、内本体３に加わる下方の力によってガイド部材１６が作動し、ガイド溝１５に沿って下方に移動して内本体３を引き下ろすことができる。逆に、取っ手５を握って押し上げると、内本体３に加わる上方の力によってガイド部材１６が作動し、ガイド溝１５に沿って上方に移動して内本体３を押し上げることができる。
【００２９】
このように、収納装置１では、内本体３に加わる力の向きによって作動する移動手段が異なり、前後移動手段６は、内本体３に前後方向の力が加わるときに作動し、上下移動手段７は、内本体３に上下方向の力が加わるときに作動し、前後移動手段６、上下移動手段７はともに、内本体３に加わる力が上記の通りの所定方向でないときは作動しない。つまり、収納装置１では、内本体３を引き出す際に、内本体３が、前方移動に連続して下方移動することはなく、外本体２の略直前まで前方移動した後、下向きの力が加わらない限り内本体３は下方に移動しない。したがって、物品は、収納状態を安定に保ち、内本体３の外側に不用意に飛び出すことはなく、収納装置１の安全性は高くなっている。
【００３０】
また、収納装置１では、内本体支持部材１４に支持された内本体３が前後方向に移動するとき、内本体支持部材１４は前後に回動し、内本体３は、外本体２の内部において収納位置より高いところに上がる。内本体３を収納位置より高いところに上げるためにはある程度の大きさの操作力が必要とされるので、地震程度の振動などによって内本体３が最高位を超えて前方に移動することはほとんどなく、内本体３が前方に移動して不用意に飛び出すのが抑えられ、収納装置１の安全性は一層高まっている。
【００３１】
しかも、内本体３は、最高位に達した後は外本体２の略直前の引き出し位置まで降下するので、降下は自重により可能であり、内本体３を前方移動させる力は最高位までとすることができ、内本体３に加える力の軽減が可能である。このため、外本体２の前方に空間のゆとりが取れない狭いところでも内本体３の引き出しが容易になる。
【００３２】
さらに、収納装置１では、図１および図２に示したように、内本体３に対し左右一対として設けられた平行リンク８の前側支持アーム９、後側支持アーム１０はともに、内本体３の外側でかつ外本体２の内側に配置されているので、内本体３は一対の平行リンク８の内側を前後に移動し、また、平行リンク８の前側支持アーム９が上部折曲部１１を有し、上部折曲部１１は、図４に示したように、内本体３の収納位置において内本体３の後方に位置するので、内本体３が前後方向に移動する際の回動半径を小さくすることができる。これらの結果として、収納装置１はコンパクトなものなり、設置場所の制約が軽減する。内本体３が前後方向に移動する際の回動半径は、前側支持アーム９の下部折曲部１２によってさらに小さくなり、収納装置１の一層のコンパクト化が図れる。
【００３３】
なお、本発明の収納装置では、所期の機能を果たす限り、前後移動手段および上下移動手段には様々な態様のものを採用することができ、たとえば、手動式に替え、モータなどの電気駆動手段を組み込むことが可能である。また、上下移動手段として設ける内本体支持部材は、支持体１８を省略したフレーム体としたり、ガイド溝は、引き出しなどに汎用されているスライドレールに替えたりすることができる。軽量化、引き下ろす高さなどを考慮して適宜採用することができる。もちろん、内本体についても同様であり、籠状のものを採用することができる。
【図面の簡単な説明】
【００３４】
【図１】本発明の収納装置の一実施形態を示した斜視図である。
【図２】図１に示した収納装置の正面図である。
【図３】図１に示した収納装置を内本体の背面側から示した要部背面図である。
【図４】図１に示した収納装置における内本体の移動について示した概略断面図である。
【符号の説明】
【００３５】
１  収納装置
２  外本体
３  内本体
６  前後移動手段
７  上下移動手段
８  平行リンク
９  前側支持アーム
１０  後側支持アーム
１１  上部折曲部
１４  内本体支持部材
１５  ガイド溝
１６  ガイド部材
【図１】
0005226371.tif 000002
【図２】
0005226371.tif 000003
【図３】
0005226371.tif 000004
【図４】
0005226371.tif 000005